(57)【要約】【課題】不正な利用を防止しながらも、正規の利用者によるパスワード入力に係る煩雑な手間を簡略化する。【解決手段】商用電源への再接続があったことを記憶するプログラムメモリ28と、電源投入操作時に、プログラムメモリ28の記憶内容に応じて動作のロックを解除するためのパスワード入力の必要性の有無を判断し、パスワード入力が必要と判断した場合には正しいパスワードの入力を受付けて動作のロックを解除するＣＰＵ26とを備える。【選択図】図１
2010165055.tif 000002
【特許請求の範囲】
【請求項１】
据え置き状態で商用電源により動作する電子装置であって、
上記商用電源への再接続があったことを記憶する記憶手段と、
電源投入操作時に、上記記憶手段での記憶内容に応じて動作のロックを解除するためのパスワード入力の必要性の有無を判断する判断手段と、
上記判断手段でパスワード入力が必要と判断した場合に、正しいパスワードの入力を受付けて動作のロックを解除する認証制御手段と
を具備したことを特徴とする電子機器。
【請求項２】
上記記憶手段において上記商用電源への再接続がなかった場合には、上記判断手段でパスワード入力が必要ないと判断し、通常の動作へ以降することを特徴とする請求項１記載の電子機器。
【請求項３】
上記装置の据え置き場所への機械的結合状態を検知する検知手段をさらに具備し、
上記判断手段は、上記記憶手段での記憶内容と上記検知手段での検知結果とに応じて動作のロックを解除するためのパスワード入力の必要性の有無を判断する
ことを特徴とする請求項１記載の電子機器。
【請求項４】
据え置き状態で商用電源により動作する電子装置の認証制御方法であって、
上記商用電源への再接続があったことを記憶する記憶工程と、
電源投入操作時に、上記記憶工程での記憶内容に応じて動作のロックを解除するためのパスワード入力の必要性の有無を判断する判断工程と、
上記判断工程でパスワード入力が必要と判断した場合に、正しいパスワードの入力を受付けて動作のロックを解除する認証制御工程と
を有したことを特徴とする認証制御方法。
【請求項５】
据え置き状態で商用電源により動作する電子装置の認証制御方法であって、
上記商用電源への再接続があったことを記憶する記憶ステップと、
電源投入操作時に、上記記憶ステップでの記憶内容に応じて動作のロックを解除するためのパスワード入力の必要性の有無を判断する判断ステップと、
上記判断ステップでパスワード入力が必要と判断した場合に、正しいパスワードの入力を受付けて動作のロックを解除する認証制御ステップと
をコンピュータに実行させることを特徴とするプログラム。
【発明の詳細な説明】
【技術分野】
【０００１】
本発明は、例えば天吊り金具で天井等に固定して使用するプロジェクタ装置などに好適な電子機器、認証制御方法及びプログラムに関する。
【背景技術】
【０００２】
従来より、種々の電子機器で盗難予防対策として、パスワード設定により動作をロックする機能が一般的に採用されている。一例として、液晶プロジェクタの不正使用を防止するために、パスワードを用いて動作にロックをかけることが可能なプロジェクタ装置が考えられている。（例えば、特許文献１）
【先行技術文献】
【特許文献】
【０００３】
【特許文献１】特開２００６−１８９８８８号公報
【発明の概要】
【発明が解決しようとする課題】
【０００４】
例えば、会議室の天井に天吊り金具で固定されたプロジェクタ装置など、盗難の可能性が比較的低いと思われる装置を考えた場合、通常の利用に際してその都度パスワードによる認証処理を行なうのは不合理であり、利用者にとって甚だ煩雑となる。
【０００５】
本発明は上記のような実情に鑑みてなされたもので、その目的とするところは、不正な利用を防止しながらも、正規の利用者によるパスワード入力に係る煩雑な手間を簡略化することが可能な電子機器、認証制御方法及びプログラムを提供することにある。
【課題を解決するための手段】
【０００６】
請求項１記載の発明は、据え置き状態で商用電源により動作する電子装置であって、上記商用電源への再接続があったことを記憶する記憶手段と、電源投入操作時に、上記記憶手段での記憶内容に応じて動作のロックを解除するためのパスワード入力の必要性の有無を判断する判断手段と、上記判断手段でパスワード入力が必要と判断した場合に、正しいパスワードの入力を受付けて動作のロックを解除する認証制御手段とを具備したことを特徴とする。
【０００７】
請求項２記載の発明は、上記請求項１記載の発明において、上記記憶手段において上記商用電源への再接続がなかった場合には、上記判断手段でパスワード入力が必要ないと判断し、通常の動作へ以降することを特徴とする。
【０００８】
請求項３記載の発明は、上記請求項１記載の発明において、上記装置の据え置き場所への機械的結合状態を検知する検知手段をさらに具備し、上記判断手段は、上記記憶手段での記憶内容と上記検知手段での検知結果とに応じて動作のロックを解除するためのパスワード入力の必要性の有無を判断することを特徴とする。
【０００９】
請求項４記載の発明は、据え置き状態で商用電源により動作する電子装置の認証制御方法であって、上記商用電源への再接続があったことを記憶する記憶工程と、電源投入操作時に、上記記憶工程での記憶内容に応じて動作のロックを解除するためのパスワード入力の必要性の有無を判断する判断工程と、上記判断工程でパスワード入力が必要と判断した場合に、正しいパスワードの入力を受付けて動作のロックを解除する認証制御工程とを有したことを特徴とする。
【００１０】
請求項５記載の発明は、据え置き状態で商用電源により動作する電子装置の認証制御方法であって、上記商用電源への再接続があったことを記憶する記憶ステップと、電源投入操作時に、上記記憶ステップでの記憶内容に応じて動作のロックを解除するためのパスワード入力の必要性の有無を判断する判断ステップと、上記判断ステップでパスワード入力が必要と判断した場合に、正しいパスワードの入力を受付けて動作のロックを解除する認証制御ステップとをコンピュータに実行させることを特徴とする。
【発明の効果】
【００１１】
本発明によれば、不正な利用を防止しながらも、正規の利用者によるパスワード入力に係る煩雑な手間を簡略化することが可能となる。
【図面の簡単な説明】
【００１２】
【図１】本発明の一実施形態に係るデータプロジェクタ装置の電子回路の機能構成を示すブロック図。
【図２】同実施形態に係る主として電源制御に係る処理内容を示すフローチャート。
【発明を実施するための形態】
【００１３】
以下本発明を、例えば天吊り金具を用い、会議室の天井に据え付けて使用するような固定型のデータプロジェクタ装置に適用した場合の一実施形態について図面を参照して説明する。
【００１４】
図１は、同実施形態に係るデータプロジェクタ装置１０が備える電子回路の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００１５】
入出力コネクタ部１１より入力される各種規格の画像信号は、入出力インタフェース（Ｉ／Ｆ）１２、システムバスＳＢを介し、一般にスケーラとも称される画像変換部１３に入力される。
【００１６】
画像変換部１３は、入力された画像信号を投影に適した所定のフォーマットの画像信号に統一し、適宜表示用のバッファメモリであるビデオＲＡＭ１４に記憶した後に、投影画像処理部１５へ送る。
【００１７】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ１４で画像信号に重畳加工され、加工後の画像信号が投影画像処理部１５へ送られる。
【００１８】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００１９】
このマイクロミラー素子１６は、アレイ状に配列された複数、例えばＸＧＡ（横１０２４×縦７６８ドット）分の微小ミラーの各傾斜角度を個々に高速でオン／オフ動作することでその反射光により光像を形成する。
【００２０】
一方で、ＬＥＤアレイ１７は、ＲＧＢの各色で発光する多数のＬＥＤが混在するように規則的にアレイ配置して構成されるもので、その各色成分毎の時分割による発光が、内面全面に反射ミラーを貼設した角錐台状のハウジング１８により集光され、インテグレータ１９で輝度分布が均一な光束とされた後に、ミラー２０で全反射してマイクロミラー素子１６に照射される。
【００２１】
そして、マイクロミラー素子１６での反射光で光像が形成され、形成された光像が投影レンズユニット２１を介して、投影対象となるここでは図示しないスクリーンに投影表示される。
【００２２】
上記ＬＥＤアレイ１７は、Ｒドライバ２２、Ｇドライバ２３、及びＢドライバ２４によりそれぞれ対応する色のＬＥＤ群が時分割で駆動制御され、ＲＧＢの各原色で発光する。
【００２３】
上記Ｒドライバ２２、Ｇドライバ２３、及びＢドライバ２４は、投影光処理部２５からの制御信号に基づいたタイミング及び駆動電流でＬＥＤアレイ１７を構成する個々の色成分のＬＥＤ群を駆動する。
【００２４】
投影光処理部２５は、投影画像処理部１５から与えられる画像データに応じて上記Ｒドライバ２２、Ｇドライバ２３、及びＢドライバ２４による発光タイミングと駆動電流とを制御する。
【００２５】
上記各回路の動作すべてをＣＰＵ２６が制御する。このＣＰＵ２６は、ＤＲＡＭで構成されたメインメモリ２７、及び動作プログラムや各種定型データ等を記憶した電気的書換可能な不揮発性メモリでなるプログラムメモリ２８を用いてこのデータプロジェクタ装置１０内の制御動作を実行する。
【００２６】
なお、プログラムメモリ２８には後述するフラグレジスタ、及びパスワードの記憶部が予め設けられ、電源が供給されていない状態でも不揮発的にその内容を保持するものとする。
【００２７】
上記ＣＰＵ２６は、操作部２９からのキー操作信号に応じて各種投影動作を実行する。
【００２８】
この操作部２９は、データプロジェクタ装置１０の本体に設けられるキー操作部と、このデータプロジェクタ装置１０専用の図示しない双方向リモートコントローラ（以下、双方向リモコン）との間で赤外光を送受光するレーザ送受光部を含み、ユーザが本体のキー操作部または双方向リモコンで操作したキーに基づくキー操作信号をＣＰＵ２６へ直接出力する。
【００２９】
操作部２９は、データプロジェクタ装置１０本体のキー操作と双方向リモコン共に、例えば電源の投入と切断を指示する電源キー、上下左右の各ポインタ移動を指示するカーソルキー、メニュー項目の選択や設定を行なうメニューキー、投影ズーム角度を可変するズームキー、フォーカス位置を可変するフォーカスキー、自動台形補正及び自動フォーカスを指示するＡＦＫ（Ａｕｔｏｍａｔｉｃ  Ｆｏｃｕｓｉｎｇ  ＆  ａｕｔｏｍａｔｉｃ  Ｋｅｙｓｔｏｎｅ  ｃｏｒｒｅｃｔｉｏｎ）キー等を備える。
【００３０】
加えて、図示しない双方向リモコンは、例えばバックライト付きのモノクロ液晶パネルによる表示部を備え、操作部２９を介して送られてきた文字データ等を表示可能とする。
【００３１】
上記ＣＰＵ２６はさらに、上記システムバスＳＢを介して音声処理部３０、及び電源制御部３１と接続される。
【００３２】
音声処理部３０は、ＰＣＭ音源等の音源回路を備え、投影動作時に与えられる音声データをアナログ化し、スピーカ部３２を駆動して拡声放音させ、あるいは必要によりビープ音等を発生させる。
【００３３】
電源制御部３１は、商用交流電源３３と接続され、その供給電力を必要な各種直流電圧、例えば１．５［Ｖ］，３．３［Ｖ］，５．０［Ｖ］に整流、電圧変換して安定化した上で上記各回路に供給する他、図示しない内部バッテリにも蓄電することで、電源切断時にもＣＰＵ２６に最低限の電力を供給可能とする。
【００３４】
次に上記実施形態の動作について説明する。  
図２は、データプロジェクタ装置１０の電源が切断されている状態からの主として電源制御に係る処理内容を示す。同処理は、ＣＰＵ２６がプログラムメモリ２８に記憶されている動作プログラムを読出し、メインメモリ２７に展開して記憶させることで実行される。
【００３５】
その当初には、まず操作部２９でのキー操作により電源を投入するためのキー操作がなされたか否かを判断する（ステップＳ１０１）。ここで電源投入のキー操作がないと判断した場合には、次に商用交流電源３３のあらたな接続があったか否かを電源制御部３１を介して判断する（ステップＳ１０２）。商用交流電源３３のあらたな接続もないと判断すると、再び上記ステップＳ１０１の処理に戻る。
【００３６】
こうしてステップＳ１０１，Ｓ１０２の処理を繰返すことで、電源が投入されるか、商用交流電源３３のあらたな接続があるのを待機する。
【００３７】
しかして、商用交流電源３３のあらたな接続があった場合、上記ステップＳ１０２でそれを判断し、ＣＰＵ２６での動作をリセットし、このデータプロジェクタ装置１０の動作をロックするように設定する（ステップＳ１０３）。
【００３８】
これと共に、プログラムメモリ２８内に予め設けた、フラグレジスタＦにフラグ“１”をセットした後（ステップＳ１０４）、再び上記ステップＳ１０１からの処理に戻る。
【００３９】
また、操作部２９のキー操作により電源が投入された場合、上記ステップＳ１０１でそれを判断し、その時点でプログラムメモリ２８のフラグレジスタＦにフラグ“１”がセットされているか否かを判断する（ステップＳ１０５）。
【００４０】
ここでプログラムメモリ２８のフラグレジスタＦにフラグ“１”がセットされていた場合、それまで装置の電源が切断されている間に、商用交流電源３３の接続が一旦断たれた後に再度商用交流電源３３が接続されたこととなる。
【００４１】
そのため、操作部２９を介して双方向リモコンにパスワードの入力を要求する文字列のガイドメッセージ、例えば  
「パスワードを入力して下さい」  
の表示データを送信して表示させた上で（ステップＳ１０６）、当該パスワードが双方向リモコンで入力されるのを操作部２９を介して待機する（ステップＳ１０７）。  
そしてパスワードが入力されると、ステップＳ１０７でそれを判断した後、入力されたパスワードをプログラムメモリ２８に予め記憶している正規のパスワードと一致比較し、正しいパスワードが入力されたか否かを判断する（ステップＳ１０８）。
【００４２】
ここで正しいパスワードが入力されなかった場合には、そのパスワード入力を無効として再び上記ステップＳ１０６からの処理に戻り、再度パスワードの入力を要求する。
【００４３】
また、上記ステップＳ１０８で正しいパスワードが入力されたと判断した場合には、直ちにこのデータプロジェクタ装置１０の動作ロック状態を解除する（ステップＳ１１０）。
【００４４】
その後、通常の入出力コネクタ部１１へ入力される画像信号に基づく投影動作処理に移行した上で（ステップＳ１１１）、併せて操作部２９でのキー操作により電源を切断するためのキー操作がなされたか否かを判断する（ステップＳ１１２）。
【００４５】
電源切断のキー操作がなされなければ、再び上記ステップＳ１１１からの処理に戻り、以後、ステップＳ１１１，Ｓ１１２の処理を繰返して、投影動作処理を続行しながら電源切断のキー操作がなされるのを待機する。
【００４６】
そして、電源を切断するためのキー操作がなされた時点で、ステップＳ１１２でそれを判断して、装置の電源を切断する処理を実行し、併せてデータプロジェクタ装置１０の動作をロックするように設定した後（ステップＳ１１３）、再び上記ステップＳ１０１からの処理に戻る。
【００４７】
また、上記ステップＳ１０５でプログラムメモリ２８のフラグレジスタＦにフラグ“１”がセットされておらず“０”であると判断された場合には、それまで装置の電源が切断されている間に商用交流電源３３との接続が断たれることはなかったものとして、操作部２９を介して双方向リモコンにパスワードの入力が不要であることを示す文字列のガイドメッセージ、例えば  
「ＡＣパスワードＯＫ」  
の表示データを送信して一定時間だけ表示させた上で（ステップＳ１０９）、そのまま上記ステップＳ１１０に進み、このデータプロジェクタ装置１０の動作ロック状態を解除する。
【００４８】
すなわち、本実施形態によれば、通常固定設置されている上記データプロジェクタ装置１０の商用交流電源への接続が一旦断たれると、盗難された可能性があるとして次回起動時には使用者に対しパスワードの入力を要求し、反対に商用交流電源への接続が断たれることがないと、上記データプロジェクタ装置１０は固定設置箇所から移動していないものと判断し、次回起動時には使用者に対しパスワードの入力を要求しない。
【００４９】
このように本実施形態によれば、商用交流電源３３の再接続があり、不正な利用が懸念される可能性がある場合にのみ動作のロック状態を解除するためのパスワードの入力を必要とすることで、不正な利用を防止しながらも、正規の利用者によるパスワード入力に係る煩雑な手間を簡略化することが可能となる。
【００５０】
なお、一般に広く普及しているケンジントン・セキュリティ・スロット（登録商標）等に代表される盗難防止用の機械的結合機構を用いる場合に、その結合状態を検知するセンサを併設し、上記フラグレジスタＦの内容と併せて該センサの検知信号も勘案してパスワード入力の必要性の有無を判断するものとしてもよい。こうすることで、単に一時的な停電等の原因により不必要にパスワード入力の手間をかけなくてはならない事態を自動的に回避できる。
【００５１】
また、本実施形態によれば、正規の使用者はパスワードを入力する機会が減少するため、いざパスワードの入力が必要となった場合にパスワードを思い出せないといった事態が生じる恐れがある。
【００５２】
この場合は、例えば製造元に問い合わせ、製品のシリアル番号等を教えてもらうことでパスワードを解除できることとしてもよい。この際は、当然ながら問い合わせ者が正規ユーザであるかどうかの身元確認が必要となる。
【００５３】
さらに上記実施形態は、データプロジェクタ装置に適用した場合について説明したものであるが、本発明はこれに限るものではなく、据え付けて使用するような固定型の電子機器であれば、デスクトップタイプのパーソナルコンピュータや各種音響機器、家庭電器製品などいずれの電子機器でも同様に適用して実施することが可能である。
【００５４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００５５】
１０…データプロジェクタ装置、１１…入出力コネクタ部、１２…入出力インタフェース１（Ｉ／Ｆ）、１３…画像変換部、１４…ビデオＲＡＭ、１５…投影画像処理部、１６…マイクロミラー素子（ＳＯＭ）、１７…ＬＥＤアレイ、１８…ハウジング、１９…インテグレータ、２０…ミラー、２１…投影レンズユニット、２２…Ｒドライバ、２３…Ｇドライバ、２４…Ｂドライバ、２５…投影光処理部、２６…ＣＰＵ、２７…メインメモリ、２８…プログラムメモリ、２９…操作部、３０…音声処理部、３１…電源制御部、３２…スピーカ部、３３…商用交流電源、ＳＢ…システムバス。
【図１】
2010165055.tif 000003
【図２】
2010165055.tif 000004